(57)【特許請求の範囲】
【請求項１】
飲料容器を輸送するコンベヤーシステムを潤滑させる方法であって：
水性コンベヤー潤滑剤濃縮物を水で希釈すること；および
コンベヤーシステムに沿って輸送されるべき前記容器の外部またはトラックに、希釈された水性コンベヤー潤滑剤を適用することを含み、
前記濃縮物が、式
【化１】
0004460166.tif 000017
［式中、Ｒ１は、Ｃ６〜Ｃ２８脂肪族基であり、Ｒ２は、Ｈ、（ＥＯ）ｐ−Ｈ、または（ＥＯ）ｍ−ＰＯ３Ｍ１Ｍ２、（式中、ＥＯはエチレンオキシド基であり、ｎ、ｍおよびｐが個々に１〜５０であり、Ｍ１およびＭ２は、個々に独立に水素またはアルカリ金属、およびアンモニウムからなる群から選ばれる）である］の化合物を含む方法。
【請求項２】
飲料容器を輸送するコンベヤーシステムを潤滑させる方法であって：
（ａ）式
【化２】
0004460166.tif 000018
［式中、Ｒ１は、Ｃ６〜Ｃ２８脂肪族基であり、Ｒ２は、Ｈ、（ＥＯ）ｐ−Ｈ、または（ＥＯ）ｍ−ＰＯ３Ｍ１Ｍ２、（式中、ＥＯはエチレンオキシド基であり、ｎ、ｍおよびｐが個々に１〜５０であり、Ｍ１およびＭ２は、個々に独立に水素またはアルカリ金属、およびアンモニウムからなる群から選ばれる）である］の化合物の５ｐｐｍ〜１０００ｐｐｍ；（ｂ）界面活性剤の５ｐｐｍ〜１０００ｐｐｍ；（ｃ）キレート化剤の１０ｐｐｍ〜１０００ｐｐｍ；（ｄ）消毒剤の１０ｐｐｍ〜５００ｐｐｍ；および（ｅ）残りの水；
を含む使用溶液を前記システムに適用することを含む方法。
【請求項３】
前記消毒剤が、第四級アンモニウム化合物である請求項２の方法。
【請求項４】
前記第四級アンモニウム化合物が、アルキルがＣ１２〜Ｃ１６である、Ｎ−アルキルジメチルベンジルアンモニウムクロリド、およびそれらの混合物である請求項３の方法。
【発明の詳細な説明】
【０００１】
発明の分野
本発明は、一般に、コンベヤーを潤滑させるための方法および組成物に関する。より詳しくは、本発明はガラス、金属またはプラスチック容器等の容器を移動させるコンベヤーを潤滑させる方法および組成物に関する。その方法は、典型的な潤滑剤が飲料溶液と接触した際に沈殿物を形成する飲料マーケットに、特に適用される。
【０００２】
発明の背景
水性の潤滑剤組成物は長年にわたって知られており、金属カッティングおよび成形を含む種々の技術、石油採掘（oil drilling）設備の潤滑、その他に適用されて来た。１つの重要な適用は、容器と移動コンベヤーラインまたはトラック表面との間の界面の潤滑である。多くの通常のコンベヤー潤滑剤は、脂肪酸処方に基づく。このような脂肪酸は、商業的に入手可能なカカオ（cocoa）または獣脂酸を含む天然物である。アルキルアミン、ホスフェートエステル、α−オレフィンスルホネート、および処方化された潤滑剤中のイミダゾリンおよびアミノカルボン酸等の両性材料の使用も、試みられて来た。
【０００３】
本発明が属する技術の当業者に知られているように、飲料および他の食料のためのＰ．Ｅ．Ｔ．容器の使用が増加して来ている。このような容器は、コンベヤーシステムによって制御される充填およびキャッピングステーションにそれらを通過させることによって、通常は充填される。
充填およびキャッピングシステムの正しい操作を確実にするために、コンベヤーシステムが連続的に潤滑されることは、極めて重大である。適切な潤滑が無いと、容器はコンベヤーシステムに沿って渋滞し、それらの移動を妨げる。
【０００４】
このように、スプレーその他等により潤滑剤をコンベヤーに適用することによって、コンベヤーは連続的に潤滑される。従来の潤滑剤は、脂肪酸、非イオン性界面活性剤、アルコール、水酸化カリウム、および他の成分を含有し、それらは種々の組み合わせにおいて機能的な不利益を有する。例えば、硬質の用水で希釈されるとき、脂肪酸潤滑剤は不溶性のカルシウム塩を形成する。従来の潤滑剤は、コンベヤーシステムに沿って配置されたプラスチック（例えばＰ．Ｅ．Ｔ．）容器にしばしば適合しておらず、それらの通過または貯蔵において結局はクラックさせる。現実に、不適合な潤滑剤へのこのようなＰ．Ｅ．Ｔ．容器による暴露が、「応力亀裂破損」（stress crack failure）と同定された現象をもたらすことは、長く知られていた。
【０００５】
食品工業、飲料および醸造工業で用いられるもの等の、これらのコンベヤーシステムの負荷に耐える表面上で通常用いられる潤滑剤は、脂肪酸石鹸により得られる優れた潤滑性のため、典型的には、活性な潤滑成分として脂肪酸石鹸を含む。
脂肪酸石鹸は、アルカリ金属水酸化物（ＮａＯＨまたはＫＯＨ）等の苛性化合物で、またはアルカノールアミン（ＭＥＡ、ＤＥＡまたはＴＥＡ）で、脂肪酸を中和することによって一般に形成され、アルカリ性のｐＨを有する。このような苛性化合物で中和された脂肪酸石鹸は、その長期の接触が、しばしばプラスチック中に応力亀裂および裂け目を形成させる程度に、ポリエチレンテレフタレートとは一般に不適合である。炭酸飲料がポリエチレンテレフタレートのボトル内に配置されるボトル詰めプラントで、これは最も頻繁に観察される。ボトル詰めプロセスによって、およびボトル内に含まれる炭酸飲料の内圧によってボトルにかかる応力は、応力亀裂および裂け目を生ずる可能性がある。
【０００６】
種々のポリエチレンテレフタレートに適合する潤滑剤組成物は、少なくとも脂肪酸の部分を他の潤滑成分で取り替えることによって開発されて来た。例えば、ロッシオ（Rossio）、米国特許第４，９２９，３７５号は、（Ｃ8〜Ｃ10）アルキルジメチルアミン等の第三級アミンの脂肪酸潤滑剤組成物への取込みが、その潤滑剤組成物のポリエチレンテレフタレート適合性（compatibility）を高めることを示唆する。
【０００７】
これらの種々の試みがポリエチレンテレフタレートと適合性を有する潤滑剤組成物を製造することで成功しているが、このような組成物は、合成ポリマー性の包装材料で優れた潤滑性と優れた適合性との両方を与えるためには、一般には効果的でなかった。
アンダーソンら、米国特許第４，５２１，３２１号は、水溶液中で脂肪アミンオキシドとの組合せでエトキシル化（ethoxylated）脂肪アルコールのホスフェートエステルを含むホスフェートエステルを使用しているコンベヤートラック潤滑剤組成物を教示している。その活性成分は、約１００〜２００ｐｐｍの濃度で使用される。スタントンら、米国特許第４，６０４，２２０号は、アニオン性ホスフェートエステルを含む他の成分のマイナーな量を含むことができるα−オレフィンをベースとするコンベヤー潤滑剤を教示している。シャーフ（Scharf）ら、米国特許第５，０６２，９７９号は、アルコキシホスフェートエステル  アルキルベンゼンスルホネートとカルボン酸とを含む石鹸を含有しないコンベヤー潤滑剤を教示している。ロッシオ、米国特許第５，２２３，１６２号は、親水性置換されたアルキルアリールアニオン性界面活性剤を用いる、ＰＥＴ物品における応力亀裂を抑制する方法を教示している。ローム＆ハース社によって商標トリトン（TRITON）（登録商標）Ｈ−６６の下で販売される１つのホスフェートエステル組成物が開示されている。エプリ（Aepli）ら、米国特許第３，８６０，５２１号は、脂肪酸石鹸、界面活性剤、およびモノステアリルホスフェートを含むコンベヤーシステムのための水性潤滑濃縮物を開示している。マクダニエル、米国特許第５，００１，１１４号は、アルキルモノグリコシド、およびポリグリコシド、およびそのホスフェートエステルおよびアニオン性誘導体を教示している。ガッツマン（Gutzmann）、米国特許第Ｎｏ．５，３５２，３７６号は、リン酸ステアリル（脂肪アルコール）、アルキルホスフェートエステル、その他等のアルキルオルトホスフェートを含む有機ホスフェートとの組み合わせで、アルキルポリグリコシド材料を含む水性潤滑剤組成物を教示している。デスポ（Despo）、米国特許第５，３９１，３０８号は、乳化剤として、および応力亀裂防止剤の両方として働く、脂肪酸、アルキルホスフェートエステル、およびアルキルアリールホスフェートエステルを含むアルカリ水性潤滑剤濃縮物を教示している。
【０００８】
脂肪酸成分の存在を低減するかまたは除去し、潤滑剤溶液のｐＨを低下させ、プラスチック、例えばポリエチレンテレフタレート（Ｐ．Ｅ．Ｔ．）ボトルで応力亀裂を引き起こさず、ｐＨの広い変化にわたって安定なままである活性な潤滑剤材料および方法を開発するための実質的なニーズが存在する。アルカリ性が応力亀裂の主要な原因であるという一般的な確信が、低いアルカリ度潤滑剤に対する顧客の好みをもたらす。他の例において、潤滑剤は広いｐＨ範囲にわたって安定していない。従って、本発明は、先行技術の組成物に比べて、問題の異なる組み合わせを解決し、広いｐＨ範囲にわたって潤滑剤の使用が可能で、およびＰ．Ｅ．Ｔ．容器における応力亀裂を防止するかまたは抑制する。
発明の概要
本発明は、優れた潤滑性を与えるが、広いｐＨ範囲にわたって適用することができ、ガラス、金属およびプラスチック容器および飲料に適合性を有する潤滑剤を含む使用溶液で、コンベヤーを潤滑させる方法に関する。
【０００９】
したがって、本発明の１つの面は、飲料容器を輸送するコンベヤーシステムを潤滑させる方法を含む。その方法は、水性コンベヤー潤滑剤濃縮物を水で希釈すること；およびコンベヤーシステムに沿って輸送されるべき容器の外部またはトラックに、その希釈された水性コンベヤー潤滑剤を適用する（applying）ことを含む。その潤滑剤は、式
【００１０】
【化４】
0004460166.tif 000002
【００１１】
［式中、Ｒ1は、Ｃ6〜Ｃ28脂肪族基であり、Ｒ2は、Ｈ、（ＥＯ）p−Ｈ、または（ＥＯ）m−ＰＯ3Ｍ1Ｍ2、
（式中、ＥＯはエチレンオキシド基、ｎ、ｍおよびｐは個々に１〜約５０であり、Ｍ1およびＭ2は、個々に独立に水素またはアルカリ金属、およびアンモニウムからなる群から選ばれる）である］
の化合物を含む。
【００１２】
本発明の他の面は、運搬システムに使用溶液を適用することによって、飲料容器を移動させるコンベヤーシステムを潤滑させる方法を含む。その使用溶液は、式
【００１３】
【化５】
0004460166.tif 000003
【００１４】
（式中、Ｒ1、Ｒ2、Ｍ1およびＭ2は、上記で定義された通りである）
の化合物の約５ｐｐｍ〜１０００ｐｐｍを含む。使用溶液は、約１０ｐｐｍ〜１０００ｐｐｍの界面活性剤、約１０ｐｐｍ〜１０００ｐｐｍのキレート化剤、約１０ｐｐｍ〜５００ｐｐｍの消毒剤、および残り（balance）の水を含む。
【００１５】
発明の詳細な記述
本発明は、潤滑剤濃縮物を希釈して脂肪酸アミド（fatty amide）エトキシレートホスフェートエステルを含む使用溶液を形成し、その使用溶液をコンベヤー中に適用することによって、コンベヤーを潤滑させる方法を提供する。脂肪酸アミドエトキシレートホスフェートエステルは、使用溶液中で約５ｐｐｍ〜１０００ｐｐｍ存在することができる。使用溶液は、潤滑のために意図された表面に適用することができる。
【００１６】
脂肪酸アミドエトキシレートホスフェートエステル
本発明の潤滑剤は、式
【００１７】
【化６】
0004460166.tif 000004
【００１８】
（式中、Ｒは、対応する脂肪酸に由来するＣ6〜Ｃ28脂肪族基である）
の化合物である。この脂肪酸は、直鎖または分枝鎖、飽和または不飽和の脂肪酸、または飽和および不飽和の脂肪酸の混合物、のいずれかであることができる。例は、カプリル酸、カプリン酸、ラウリン酸、ミリスチン酸、パルミチン酸、ステアリン酸、イソステアリン酸、オレイン酸、ココナツ油脂肪酸、パーム油脂肪酸、パームナッツ油脂肪酸、硬化牛脂脂肪酸、その他の脂肪酸部分を含む。本発明のための脂肪酸の例は、獣脂脂肪酸およびラウリル脂肪酸である。好ましい脂肪酸は、１０〜２０個の炭素原子の炭素鎖を有する。
【００１９】
Ｒ2は、Ｈ、（ＥＯ）p−Ｈ、または（ＥＯ）m−ＰＯ3Ｍ1Ｍ2であり、ＥＯはエチレンオキシド基であり、ｎ、ｍおよびｐが個々に１〜５０、好ましくは１〜５であることができ、Ｍ1およびＭ2は個々に、水素またはアルカリ金属、および／又はアンモニウム（ナトリウム、カリウム、リチウム、およびアンモニウム等）からなる群から選ばれる。好ましいカチオンは、水素、ナトリウム、カリウムおよびアンモニウムを含む。
【００２０】
このような材料は、水溶液において適切に適合性を有し、界面摩擦における実質的な低下を与え、通常の飲料に適合性を有し、ｐＨに敏感でなく（insensitive）、他の通常の潤滑剤添加剤材料に適合性を有する。脂肪酸アミドエトキシレートホスフェートエステル（式Ｉ）は、約ｐＨ３〜ｐＨ１１、好ましくは約ｐＨ５〜ｐＨ８にわたる広範囲のｐＨに対して安定である。このような材料は、水性希釈剤で希釈して、完全に機能的な水性潤滑剤使用組成物を形成することができる潤滑剤濃縮物材料に処方化することができる。エトキシル化脂肪酸アミドホスフェートエステルは、水性潤滑剤または潤滑剤濃縮物を調製するために用いることができ、このような濃縮物は、水で希釈して潤滑剤を形成することができ、および摩擦コントロールを必要とする種々の界面表面、すなわちコンベヤーシステム、ベルト、移動ガラス、金属、または、ポリエチレンテレフタレート容器等のプラスチック容器に適用することができる。
【００２１】
エトキシル化脂肪酸アミドホスフェートエステル（式Ｉ）は、潤滑濃縮物中に存在する。その量は、潤滑濃縮物中で、０．５重量％（質量％）〜９０重量％（質量％）のエトキシル化脂肪酸アミドホスフェートエステル（式Ｉ）の範囲であることができる。使用溶液中で、エトキシル化脂肪酸アミドホスフェートエステル（式Ｉ）の濃度は、一般に、好ましくは約５ｐｐｍ〜約１０００ｐｐｍ、より好ましくは約５０ｐｐｍ〜約２００ｐｐｍの範囲にある。
【００２２】
脂肪酸アミドエトキシレートホスフェートエステルは、以下の一般的な手順によって調製することができる。出発材料としてのエトキシル化脂肪性アミドのエトキシレート基はホスフォリレーション剤と反応され、脂肪酸アミドエトキシレートホスフェートエステル生成物（式Ｉ）を与える。中和は、次いで塩基性剤で行うことができる。
【００２３】
全体的な合成スキームを、以下の例で説明する：
【００２４】
【化７】
0004460166.tif 000005
【００２５】
エトキシル化脂肪酸アミドは、商業的に容易に入手することができる。商業的に入手可能なエトキシル化脂肪酸アミドの例は：ヴァラミド（Varamide）Ｔ−５５、すなわち獣脂脂肪酸モノエタノールアミドの５モル−エトキシレート（ウィトコ（Witco）社）；およびアミドックス（Amidox）Ｌ−５、すなわちラウリル脂肪酸のモノエタノールアミドの５モル−エトキシレート（ステパン（Stepan）社）である。好ましい脂肪酸アミドエトキシレートホスフェートエステルは、脂肪酸部分がＣ10〜Ｃ20の範囲のそれらを含む。
【００２６】
いくつかのホスフォリレーション剤は、商業的に入手可能である。これらのホスフォリレーション剤の例は、ポリリン酸、オキシ塩化リン、および五酸化リンを含む。好ましいホスフォリレーション剤は、ポリリン酸を含む。
中和剤は、容易に商業的に入手することができる。中和剤の例は；水酸化ナトリウム、水酸化カリウムおよび水酸化リチウムを含む。好ましい中和剤は、水酸化ナトリウムおよび水酸化カリウムである。
界面活性剤
本発明の濃縮および使用溶液組成物は、所望により、しかし好ましくは界面活性剤を含む。界面活性剤は、洗浄力および湿潤を増大させるためのアジュバントとして作用する。本発明において界面活性剤として使用できる化合物は、非イオン性界面活性剤を含む。
【００２７】
非イオン性界面活性剤は、一般に好ましい。これらは、本質的に電荷を担持せず、分子中の酸素の存在により親水的傾向を示す疎水性化合物である。非イオン性界面活性剤は、多種多様なポリマー性化合物を包含し、それらは特に（しかし制限的でなく）エトキシル化アルキルフェノール、エトキシル化脂肪アルコール、エトキシル化アミン、エトキシル化エーテルアミン、カルボン酸エステル、カルボン酸アミド、およびポリオキシアルキレンオキシド  ブロックコポリマーを含む。
【００２８】
本発明の潤滑剤組成物に用いられる特に適当な非イオン性界面活性剤は、アルキル化アルコールエトキシレートである。
濃縮物において、界面活性剤濃度は、約３０重量％（質量％）まで、好ましくは約１重量％（質量％）から約１０重量％（質量％）までの量で存在する。使用溶液において、濃度は一般に約５ｐｐｍ〜約１０００ｐｐｍ、好ましくは、約１０ｐｐｍ〜約１００の範囲の界面活性剤である。
【００２９】
金属イオン封鎖剤
沈殿物または他の塩の形成を防止するために、本発明の濃縮および使用溶液組成物は、金属イオン封鎖剤（sequestrant）を含むことができる。
【００３０】
一般に、金属イオン封鎖剤は用水（service water）中に一般に見出される金属イオンに配位結合して、それにより金属イオンがその組成物内の洗浄性成分の機能を妨害することを防止できる、それらの分子である。単一の硬質イオンに対して金属イオン封鎖剤により形成できる共有結合の数は、金属イオン封鎖剤を二座（２）、三座（３）、四座（４）、その他として分類することによって反映される。任意の数の金属イオン封鎖剤を、本発明に従って使用できる。代表的な金属イオン封鎖剤は、中でも、アミノカルボン酸の塩、ホスホン酸塩、水溶性のアクリル系ポリマーを含む。
【００３１】
好ましいアミノカルボン酸キレート剤は、Ｎ−ヒドロキシエチルイミノジ酢酸、ニトリロトリ酢酸（ＮＴＡ）、エチレンジアミン四酢酸（ＥＤＴＡ）、Ｎ−ヒドロキシエチル−エチレンジアミン三酢酸（ＨＥＤＴＡ）、およびジエチレントリアミンペンタ酢酸（ＤＴＰＡ）を含む。使用されるとき、これらのアミノカルボン酸は、濃縮物において約３０重量％（質量％）まで、好ましくは約２重量％（質量％）〜約２０重量％（質量％）の量で存在する。これらのアミノカルボン酸は、使用溶液中で、約１０ｐｐｍ〜約１０００ｐｐｍ、好ましくは約２０ｐｐｍ〜約２００ｐｐｍの範囲で一般に存在する。
【００３２】
他の適当な金属イオン封鎖剤は、最終使用条件の下で洗浄溶液をコンディショニングするために用いられる水溶性のアクリル系ポリマーを含む。このようなポリマーは、ポリアクリル酸、ポリメタクリル酸、アクリル酸−メタクリル酸コポリマー、加水分解されたポリアクリルアミド、加水分解されたメタクリルアミド、加水分解されたアクリルアミド−メタククリルアミドコポリマー、加水分解されたポリアクリロニトリル、加水分解されたポリメタクリロニトリル、加水分解されたアクリロニトリル−メタクリロニトリルコポリマー、またはこれらのポリマーの混合物を含む。それらのそれぞれのアルカリ金属（例えばナトリウムまたはカリウム）またはアンモニウム塩等の、これらのポリマーの水溶性塩または部分塩も使用できる。
【００３３】
ポリアクリル系ポリマーの重量平均分子量は、約４０００〜約１２，０００である。好ましいポリマーは、４０００〜８０００の範囲内の平均分子量を有するポリアクリル酸、ポリアクリル酸の部分ナトリウム塩、またはポリアクリル酸ナトリウムを含む。これらのアクリル系ポリマーは、使用溶液中で、一般に約１０ｐｐｍ〜約１０００ｐｐｍの範囲で有用である。
【００３４】
また、ホスホン酸およびホスホン酸塩も、金属イオン封鎖剤として有用である。このような有用なホスホン酸は、モノ、ジ、トリ、およびテトラ−ホスホン酸を含み、それらは、また、アルカリ性状態の下でアニオンを形成できる基（例えばカルボキシ、ヒドロキシ、チオ等）を含むことができる。これらの中で、式Ｒ1Ｎ［ＣＨ2ＰＯ3Ｈ2］2またはＲ2Ｃ（ＰＯ3Ｈ2）2ＯＨ
（式中、Ｒ1は［（低級）アルキレン］Ｎ［ＣＨ2ＰＯ3Ｈ2］2、または第３（ＣＨ2ＰＯ3Ｈ2）部分であることができ；Ｒ2はＣ1〜Ｃ6アルキルからなる群から選ばれる）
を有するホスホン酸がある。
【００３５】
ホスホン酸は、また、約２〜４個のカルボン酸部分、および約１〜３個のホスホン酸基有するもの等の、低分子量のホスホノポリカルボン酸を含むことができる。このような酸は、１−ホスホノ−１−メチルコハク酸、ホスホノコハク酸、および２−ホスホノブタン−１，２，４−トリカルボン酸を含む。
本発明において金属イオン封鎖剤として用いられるとき、ホスホン酸または塩は、約１０ｐｐｍ〜約１０００ｐｐｍの範囲で使用溶液において存在する。
消毒剤
通常、殺微生物剤（microbicidal）な効力を有する任意の固体または液体の化合物を、本発明の組成物において使用できる。殺微生物剤な効力を付与するために公知の化学組成は、アルデヒド、ヨウ素担体（iodophore）、フェノール類（phenolics）、アニオン性およびカチオン性界面活性剤を含む界面活性剤、および無機または有機の塩素放出性の化合物および剤を含む。
【００３６】
本発明において抗微生物（antimicrobial）剤として使用できる代表的な組成物は、ホルムアルデヒド、グルタルアルデヒド等の通常利用できるアルデヒド；およびヨウ素−非イオン性界面活性剤複合体、ヨウ素−ポリビニルピロリドン複合体、ヨウ素−第四級アンモニウム化合物、および両性ヨウ素−アミンオキシド複合体等のヨウ素担体を含む。本発明において第一に重要な抗微生物剤は、Ｎ−アルキル（Ｃ12〜Ｃ16）ジメチルベンジル  アンモニウムクロリド、Ｎ−ジデシルジメチル  アンモニウムクロリド、Ｎ−テトラデシルジメチルベンジル  アンモニウムクロリド一水和物、Ｎ−アルキル（Ｃ12〜Ｃ14）ジメチル  １−ナフチルメチルアンモニウムクロリド、およびステパンケミカル社またはロンザ（Lonza）社等の製造業者から商業的に入手可能なドデシルジメチルベンジル  アンモニウムクロリドを含む、四級アンモニウム化合物を含むカチオン性界面活性剤である。
【００３７】
存在するとき、抗微生物剤は、与えられるべき要求された抗微生物作用のために効果的に必要な濃度を持たなければならない。通常、抗微生物剤の濃度は、３０重量％（質量％）まで、好ましくは約２重量％（質量％）〜２０重量％（質量％）の量で、濃縮物中で存在できる。使用溶液における抗微生物剤の濃度は、約１０ｐｐｍ〜約５００ｐｐｍ、好ましくは約２０ｐｐｍ〜２００ｐｐｍの範囲である。
ヒドロトロープ
ヒドロトロープも、濃縮物または使用溶液中で存在することができる。ヒドロトロープは、物理的安定性を処方に与える。
【００３８】
潤滑剤組成物中で利用可能な適合性を有する種々のヒドロトロープは、モノ官能性およびポリ官能性アルコール、並びにグリコールおよびグリコールエーテル化合物を含む。最も有用なことが見出されたものは、例えばエタノール、イソプロパノール、その他等のアルキルアルコールを含む。ポリ官能性有機アルコールは、グリセロール、ヘキシレングリコール、ポリエチレングリコール、プロピレングリコール、ソルビトール、その他等を含む。
【００３９】
好ましいヒドロトロープは、アルキルグリコール等の二官能性のアルコールである。使用溶液、およびその使用溶液の安定化において高められた効力を見出された１つの化合物は、ヘキシレングリコールである。重要な他のヒドロトロープは、トルエンスルホネート、キシレンスルホネート、クメンスルホネート、オクチルスルホネート、およびより単純なエトキシル化ホスフェートエステル、例えばＣ8〜Ｃ12のエトキシル化ホスフェートエステル（特にデカノールの５モル−エトキシレートのモノホスフェートエステル）等の高いＨＬＢの界面活性剤を含む。存在する場合、濃縮物中のヒドロトロープの濃度は、約２０重量％（質量％）までの範囲にある。使用溶液におけるヒドロトロープの濃度は、約１０ｐｐｍ〜約１０００ｐｐｍの範囲である。
【００４０】
消泡剤
本発明の使用溶液組成物は、消泡性の界面活性剤を含むことができる。消泡剤は、タンパク気泡の安定性を低減することに適した疎水−親水バランスを有する化学化合物である。疎水性は、その分子の親油性の部分によって与えることができる。例えば、芳香族アルキルまたはアルキル基、オキシプロピレンユニットまたはオキシプロピレン鎖、またはオキシエチレン以外の他のオキシアルキレン官能基は、この疎水特性を与える。親水性は、オキシエチレンユニット、鎖、ブロックおよび／又はエステル基によって与えることができる。例えば、有機ホスフェートエステル、塩タイプの基または塩形成性の基は、全て、消泡剤内で親水性を与える。典型的には、消泡剤は、疎水性基、ブロックまたは鎖、および親水性エステル基、ブロック、ユニットまたは鎖を有する非イオン性有機表面活性ポリマーである。しかしながら、アニオン性、カチオン性、および両性消泡剤も、知られている。
【００４１】
本発明の組成物に用いられる消泡剤の例は、ポリジメチルシロキサン中に分散されたシリカ等のシリコーン（silicone）化合物、脂肪酸アミド、炭化水素ワックス、脂肪酸、脂肪酸エステル、脂肪アルコール、脂肪酸石鹸、エトキシレート、鉱油、ポリエチレングリコールエステル、ポリオキシエチレン−ポリオキシプロピレンブロックコポリマー、アルキルホスフェートエステル（例えばモノステアリルホスフェート）等を含む。消泡剤の議論は、例えば、参照することによりここに取り込む、マーチンらへの米国特許第３，０４８，５４８号、ブリュネル（Brunelle）らへの米国特許第３，３３４，１４７号、リュー（Rue）への米国特許第３，４４２，２４２号中に見出すことができる。
【００４２】
腐食防止剤
本発明の使用溶液組成物は、腐食防止剤をも含むことができる。有用な腐食防止剤は、短鎖カルボン酸二酸、三酸等のポリカルボン酸、並びにホスフェートエステル、およびそれらの組み合わせを含む。有用なホスフェートエステルは、アルキルホスフェートエステル、モノアルキルアリールホスフェートエステル、ジアルキルアリールホスフェートエステル、トリアルキルアリールホスフェートエステル、およびそれらの混合物（例えばウィトコケミカル社から商業的に入手可能なエムホス（Emphos）ＰＳ  ２３６）を含む。
【００４３】
他の有用な腐食防止剤は、トリアゾール、例えば、ベンゾトリアゾール、トリルトリアゾール、およびメルカプトベンゾチアゾール等、およびホスホネート、例えばｌ−ヒドロキシエチリデン−ｌ，１−ジホスホン酸、および界面活性剤、例えばオレイン酸ジエタノールアミド、およびナトリウムカカオンフォ（cocoampho）ヒドロキシプロピルスルホネート、等との組み合わせのものを含む。
【００４４】
好ましい腐食防止剤は、ジカルボン酸等のポリカルボン酸である。好ましい酸は、アジピン酸、グルタル酸、コハク酸、およびそれらの混合物を含む。
濃度
脂肪酸アミド  エトキシル化ホスフェートエステルの濃度は、濃縮物中で０．５重量％（質量％）〜約９０重量％（質量％）の範囲にあることができる。脂肪酸アミドエトキシレートホスフェートエステルの濃度は、使用溶液中で約５ｐｐｍ〜約１０００ｐｐｍの範囲にあることができる。本発明の他の成分濃度は、以下の表に示される。
【００４５】
【表１】
0004460166.tif 000006
【００４６】
【表２】
0004460166.tif 000007
【００４７】
濃縮物の正確な希釈は、水の硬度、コンベヤートラックの速度、トラックによって運ばれる包装または容器のタイプ、コンベヤートラックの全体のローディング、こぼれ（spillage）によって引き起こされるトラック汚れの量等の因子に依存する。
潤滑剤濃縮物の希釈は、通常、中央のディスペンサーによってなされ、希釈された潤滑剤組成物は、次いで、使用の点であるスプレーノズルにポンプで輸送される。潤滑剤を殆ど必要としないコンベヤートラックのいくつかの領域がある。典型的には、これらは充填器の前および後、および低温殺菌器（pasteurizer）の前のゾーンである。これらの領域で、しばしば二次希釈が使用される。潤滑剤は、充填器で、およびその後で、その最も高い使用濃度であり得る。
【００４８】
潤滑剤溶液は、典型的には、トラックの各セクションのスタートに配置されたジェットノズルから、コンベヤー上へスプレーされる。特に長いトラックのために、第二のスプレージェットをトラックに沿って配置できる。スプレーは連続的または時間パルス型でありえる。
汚れがひどい領域において、トラック上へ潤滑剤を継続的にスプレーすることが必要な場合がある。しかしながら、ほとんどの場合、用量を変えるためにタイマーが使用される。典型的には、オンおよびオフ時間は、１０〜９０秒の間にある。オフ時間は、必ずしも時間に対して等しくなくてもよい。また、プラントを通して、タイマー設定が変化するであろう。
【００４９】
いくつかの適用において、最終ウォータージェットが、ボトル／缶の充填トラックの終わりに配置される。これは、荷造の前に、包装から潤滑剤の残りを洗浄する。
本発明のより完全な理解のために、以下の例が参照される。これらの例は、例証的で、且つ非制限的な意図である。前述の開示は、本発明を作製し使用する方法を含む本発明の面を当業者に教示する。以下の例は、本発明の更なる説明を与えるが、その限界を意味しない。
【００５０】
例
適用
処方および使用
処方
１４グラム（０．１４モル）のポリリン酸（１１５％のリン酸滴定）と、８６グラム（０．１２モル）のエトキシル化獣脂モノエタノールアミド（ウィトコ  ヴァラミドＴ−５５）とを１７０〜２００°Ｆでブレンドすることによって、実例となる脂肪酸アミドエトキシレートホスフェートエステル（ＰＴＭＥＡＥＯ）を調製し、および激しく攪拌した。ポリリン酸の追加の７．０グラム（０．０７モル）を、１７０〜２００°Ｆで追加の３０分間でその溶融物内にブレンドした。硬化した溶融物を生成物として集め、１００％ホスフェートエステルとして扱った。
【００５１】
２．５グラムの粗製ホスフェートエステルを２２．５ｍｌの脱イオン水中に溶解することによって、ホスフェートエステルの部分中和を達成した。その混合物１２０°Ｆまで加熱した。暖かい酸性ホスフェートエステル溶液を、次いで５０％のＫＯＨ溶液の滴状添加によって部分的に中和し、ｐＨが６．０に達したとき、添加を終えた。
ＰＥＴ適合性
テスト方法：  アモルファスＰＥＴストリップ（０．５インチの中央幅と１５ミル（mil）の厚さのイヌ骨形状）を、５，０００〜８，０００ｐｓｉの張力に晒す。２つの試験溶液を、２つの位置で適用し、および開裂が生ずる時間を与える。破損（破裂）が起こる位置は、より攻撃的な溶液を示す。
【００５２】
【表３】
0004460166.tif 000008
【００５３】
ジコ潤滑油（Dicolube）ＰＬは、ダイバーシイ  リバー社（Diversey Lever Corp.）によって供給される従来のＰＥＴ潤滑油（lube）である。
ペットスター（PET STAR）は、従来のイーコラブ（Ecolab）潤滑油である。
ＰＴＭＥＡＥＯは、（Ｘ，Ｙ）＝（１６，５）を有する脂肪酸アミドエトキシレートホスフェートエステルである。
【００５４】
データは、ＰＴＭＥＡＥＯがＰＥＴ応力亀裂を、より引き起こし難いことを示す。
ビールおよび飲料製品との適合性
テスト手順
１）生成物または原料の１％の溶液を、ガラス製のバイアル中で、テストされるべき市販のビール／飲料製品の等しい体積と混ぜる。
【００５５】
２）任意の沈殿物または曇りの形成を、視覚的に観察する。
水と、ビールまたは飲料との１：１混合物からなるコントロール試料を、透明度比較のために使用した。
結果：
【００５６】
【表４】
0004460166.tif 000009
【００５７】
ＮＤ：コントロール試料からの検出可能な差異がない。
潤滑性
典型的には、テストサンプルの０．１％の溶液で湿潤させた回転するステンレス鋼円盤に乗っている秤量したテストシリンダーの引きずり力（drag force）を測定することによって、潤滑性テストを行う。摩擦係数（ＣＯＦ）は、シリンダーの全体重量に対する引きずり力の比によって計算する。テストによる接触表面の変化を修正するため、参照潤滑油を表面条件を標準化するために用い、および相対係数（相対ＣＯＦ）を計算し、用いた。ここに、
相対ＣＯＦ  ＝  ＣＯＦ（サンプル）／ＣＯＦ（参照）。
【００５８】
我々は、脂肪酸ベースの潤滑剤（潤滑油リ−クレンツ（Lubri-klenz）ＬＦまたはＬＫ−ＬＦ）を参照として用いる。これは、ガラスおよび金属容器のための従来の潤滑油である。良好な潤滑油は典型的には１．２未満の相対ＣＯＦを有するであろう。他方、１．４より大きい値は、劣る潤滑剤を示す。
以下の表のために、（Ｘ，Ｙ）は、各テストで用いられるホスフェートエステルを定義する。それらは、以下の通りである。
【００５９】
【化８】
0004460166.tif 000010
【００６０】
（式中、（Ｘ，Ｙ）＝（１０，１）（１０，５）、または（１６，５）であり、Ｍ1およびＭ2は、水素およびアルカリ金属からなる群から選ばれる。
結果：
【００６１】
【表５】
0004460166.tif 000011
【００６２】
表１は、ホスフォリル化獣脂ＭＥＡエトキシレートに対する潤滑性データを要約する。ｐＨ３〜７の範囲にわたって、ステンレス鋼上のガラスに対して０．９５〜１．０２の範囲の相対ＣＯＦが示された。潤滑効果は、また、ｐＨ３〜７の範囲にわたって、ステンレス鋼上の軟鋼の金属表面に対して１．０５〜１．２５の範囲の相対ＣＯＦによっても示される。これらの値は、水に対する２〜３の値、および典型的な脂肪酸潤滑油に対する約０．９〜１．０５と比較されるべきである。
【００６３】
ホスフェートエステル基の導入なしでは、ヴァラミドＴ５５は、ガラスまたは金属表面に対して約２．０の相対ＣＯＦを有する。
【００６４】
【表６】
0004460166.tif 000012
【００６５】
【表７】
0004460166.tif 000013
【００６６】
典型的な脂肪酸潤滑油と比較した、脂肪酸アミドエトキシレートホスフェートエステルを用いる処方の潤滑性
【００６７】
【表８】
0004460166.tif 000014
【００６８】
【表９】
0004460166.tif 000015
【００６９】
【表１０】
0004460166.tif 000016
【００７０】
用語
ジコルーブＰＬ：  ダイヴァーシイからの製品、脂肪酸潤滑剤
ペットスター：  イーコラブ−脂肪酸潤滑剤
潤滑油リ−クレンツＬＦ：  イーコラブ−脂肪酸潤滑剤
潤滑油リ−クレンツＳ：  イーコラブ−脂肪アミン潤滑剤
ロダファック（Rhodafac）  ＲＡ−６００：  デカノールペンタオキシエチレンホスフェート−ローヌ  プーラン
ヴァラミド  Ｔ５５：  獣脂モノエタノールアミドペンタオキシエチレン−ウィトコ社
Ｑ−３７２：  Ｃ12〜Ｃ14  ジメチルベンジルアンモニウムクロリド−イーコラブ
ＰＴＭＥＡＥＯ：  獣脂モノエタノールアミドペンタオキシエチレン  ホスフェート
上記データは、より低いｐＨにおいて、ガラス、金属、およびプラスチック（ＰＥＴ）容器に対して、本発明の潤滑剤が、従来の潤滑剤と同様に良好であるか、またはより優れていることを示す。